(57)【特許請求の範囲】
【請求項１】
２本の把手棒の間に支持シートを架け渡すことにより、前記支持シート上に対象者を載置して搬送可能な担架に用いられる防汚カバーであって、
前記支持シートの上面をほぼ覆うことができる大きさを有する略シート状に形成されており、
かつ、前記２本の把手棒の一端側に設けられた把手を内部にそれぞれ収容可能な二つの第１取付穴が、前記防汚カバーの厚さ方向に貫通して形成されており、
使用時には、前記第１取付穴の内部に前記把手を貫通させた状態で、前記支持シートの上面に前記防汚カバーを被せることにより、前記担架に対する前記防汚カバーの位置ずれを抑止できるようになっている
担架用防汚カバー。
【請求項２】
前記防汚カバーの長さは、前記担架への取り付け状態において、前記支持シートの長さより長いものとされている
請求項１に記載の担架用防汚カバー。
【請求項３】
吸水性のある不織布により構成された基層と、この基層の下面を覆い、かつ、防水性のある防水層とを備える
請求項１又は２に記載の担架用防汚カバー。
【請求項４】
前記第１取付穴とは、前記防汚カバーの長さ方向において反対側に形成された第２取付穴を備えており、
前記第２取付穴は、前記防汚カバーを貫通して形成されており、
かつ、前記第２取付穴は、前記第１取付穴が前記把手棒の一端側に設けられた把手に取り付けられた状態において、前記把手棒の他端側に設けられた把手を内部に貫通させる長穴状とされており、
さらに、長穴状とされた前記第２取付穴の長径の方向は、前記支持シートの長さ方向に沿う方向とされている
請求項１〜３のいずれか１項に記載の担架用防汚カバー。
【請求項５】
前記第１取付穴は、前記防汚カバーの一端側に形成されており、
前記防汚カバーの他端側が、前記防汚カバーの一端側に接近し、かつ、前記第１取付穴を塞がない位置となるように、前記防汚カバーが折り畳まれており、これによって、展開時には、前記第１取付穴を前記把手に取り付けた後、前記防汚カバーの他端側を把持して前記防汚カバーを展開できるようになっている
請求項１〜４のいずれか１項に記載の担架用防汚カバー。
【発明の詳細な説明】
【技術分野】
【０００１】
本発明は、担架に取り付けられて担架の汚れを防止するためのカバーに関するものである。
【背景技術】
【０００２】
主に救急用に用いられる簡易型の担架として、例えば下記特許文献１及び２に示されるタイプのものがある。このタイプの担架は、２本の長尺状の把手棒の間にシート（例えば布地）を架け渡し、このシートの上に対象者（被災者や傷病者など）を載せた状態で当該対象者を搬送できるようになっている。
【０００３】
ところで、担架の実際の使用時（救急時）には、対象者の体液（例えば血液）や吐瀉物などによりシートが汚れることがある。このような汚れはシートに残留しやすく、汚れや臭いの原因となりやすい。汚れや臭いが付着した担架を使用すると、搬送される対象者にとっての使用感が良くないという問題がある。このことは特に、対象者を担架に載せて搬送する訓練において、対象者（訓練においては一般に健康な者）が担架に載せられることを避ける一因になっていると考えられる。これでは、担架を用いた訓練の効率を向上させることが難しいという問題を生じてしまう。また、このように汚れた担架を用いると、担架を運ぶ運搬者や次の対象者への感染の恐れを生じかねないという問題もある。
【先行技術文献】
【特許文献】
【０００４】
【特許文献１】実用新案登録第３２１３２６２号公報
【特許文献２】特開２０１３−１６９４２１号公報
【発明の概要】
【発明が解決しようとする課題】
【０００５】
本発明は、前記した状況に鑑みてなされたものである。本発明の主な目的は、簡易な構成により担架の汚れを防止できる防汚カバーを提供することである。
【課題を解決するための手段】
【０００６】
前記した課題を解決する手段は、以下の項目のように記載できる。
【０００７】
（項目１）
２本の把手棒の間に支持シートを架け渡すことにより、前記支持シート上に対象者を載置して搬送可能な担架に用いられる防汚カバーであって、
前記支持シートの上面をほぼ覆うことができる大きさを有する略シート状に形成されており、
かつ、前記２本の把手棒の一端側に設けられた把手を内部にそれぞれ収容可能な二つの第１取付穴が、前記防汚カバーの厚さ方向に貫通して形成されており、
使用時には、前記第１取付穴の内部に前記把手を貫通させた状態で、前記支持シートの上面に前記防汚カバーを被せることにより、前記担架に対する前記防汚カバーの位置ずれを抑止できるようになっている
担架用防汚カバー。
【０００８】
（項目２）
前記防汚カバーの長さは、前記担架への取り付け状態において、前記支持シートの長さより長いものとされている
項目１に記載の担架用防汚カバー。
【０００９】
（項目３）
吸水性のある不織布により構成された基層と、この基層の下面を覆い、かつ、防水性のある防水層とを備える
項目１又は２に記載の担架用防汚カバー。
【００１０】
（項目４）
前記第１取付穴とは、前記防汚カバーの長さ方向において反対側に形成された第２取付穴を備えており、
前記第２取付穴は、前記防汚カバーを貫通して形成されており、
かつ、前記第２取付穴は、前記第１取付穴が前記把手棒の一端側に設けられた把手に取り付けられた状態において、前記把手棒の他端側に設けられた把手を内部に貫通させる長穴状とされており、
さらに、長穴状とされた前記第２取付穴の長径の方向は、前記支持シートの長さ方向に沿う方向とされている
項目１〜３のいずれか１項に記載の担架用防汚カバー。
【００１１】
（項目５）
前記第１取付穴は、前記防汚カバーの一端側に形成されており、
前記防汚カバーの他端側が、前記防汚カバーの一端側に接近し、かつ、前記第１取付穴を塞がない位置となるように、前記防汚カバーが折り畳まれており、これによって、展開時には、前記第１取付穴を前記把手に取り付けた後、前記防汚カバーの他端側を把持して前記防汚カバーを展開できるようになっている
項目１〜４のいずれか１項に記載の担架用防汚カバー。
【発明の効果】
【００１２】
本発明の防汚カバーによれば、簡易な構成であるにもかかわらず、担架に効率よく取り付けることができ、これにより担架の汚れを効率よく防止することができる。また、本発明の防汚カバーは、簡易な構成であるために、低コストで生産することができる。このため、使い捨てでの使用に好適であるという効果も有する。
【図面の簡単な説明】
【００１３】
【図１】担架の一例を示す概略的な斜視図である。
【図２】本発明の第１実施形態に係る担架用防汚カバーを展開した状態での平面図である。
【図３】図２のＡ−Ａ線に沿う拡大断面図であって、図中符号Ｂは、その要部の拡大図である。
【図４】図２の防汚カバーを担架に取り付けた状態を示す説明図である。
【図５】本発明の第２実施形態に係る防汚カバーを展開した状態での平面図である。
【図６】本発明の第３実施形態に係る防汚カバーを展開した状態での平面図である。
【図７】本発明の第４実施形態に係る、防汚カバーの折り畳み方法を説明するための説明図である。
【発明を実施するための形態】
【００１４】
以下、本発明の第１実施形態に係る担架用防汚カバー（以下単に「防汚カバー」又は「カバー」と称することがある）を、添付の図面を参照しながら説明する。
【００１５】
（担架）
まず、本実施形態の防汚カバーが使用される担架の一例を、図１を参照しながら説明する。この担架１は、２本の把手棒２の間に支持シート３を架け渡すことにより、支持シート３上に対象者を載置して搬送できる構成となっている。より詳しくは、支持シート３は、平面視して略長方形状とされており、その長手方向に沿う両側縁には、把手棒２を内部に収容可能な袋状に構成された保持部４が設けられている。担架１の支持シート３は、一般的には、必要な強度と可撓性を持つ生地（例えば布地や不織布）を適宜に折り返して縫い合わせ又は接着することにより構成されている。
【００１６】
２本の把手棒２の両端は、いずれも、支持シート３の端部よりも外側方向に突出されており、この突出部分は、担架を運ぶ者が握るための把手２１とされている。把手２１は、把手棒２の一部として一体的に設けられていてもよいし、把手棒２とは別部材とされていてもよい。
【００１７】
担架１の把手棒２どうしの間には、両者の位置関係を固定するための、着脱可能な固定具（図示せず）を取り付けることが多いが、そのような固定具としては、従来と同様のものを用いることができるので、それについての詳しい説明は省略する。また、固定具を使うことは必須ではない。
【００１８】
（防汚カバー）
本実施形態の防汚カバー６は、担架１に用いられる支持シート３の上面をほぼ覆うことができる大きさを有する略シート状に形成されている（図２〜図４参照）。
【００１９】
この防汚カバー６には、担架１に用いられる２本の把手棒２の一端側に設けられた把手２１（図１参照）を内部にそれぞれ収容可能な二つの第１取付穴７が、防汚カバー６の厚さ方向（図２において紙面の厚さ方向）に貫通して形成されている（図２及び図３参照）。この実施形態では、第１取付穴７の形状は円形とされており、その内径は、把手２１の外径とほぼ同じか、あるいはそれよりわずかに大きいものとされている。第１取付穴７の位置は、防汚カバー６の一端（図２では上端）近傍とされている。
【００２０】
本実施形態の防汚カバー６の長さは、担架１への取り付け状態（図４参照）において、担架１の支持シート３の長さより長くなるように設定されている。つまり、本実施形態における防汚カバー６の長さは、防汚カバー６が担架１に取り付けられた状態において、その長さ方向の端部（好ましくは両端部）が担架１の支持シート３からはみ出す長さに設定されている。また、防汚カバー６の幅は、防汚カバー６が担架１に取り付けられた状態において、防汚カバー６の側縁部（好ましくは両側縁部）が担架１の支持シート３から若干はみ出す長さに設定されていることが好ましい。
【００２１】
また、本実施形態の防汚カバー６は、吸水性のある不織布により構成された基層６１と、この基層６１の下面を覆い、かつ防水性のある防水層６２とから構成されている（図３参照）。基層６１としては、必要な強度及び吸水性のある既存の不織布を用いることができる。防水層６２としては、例えば、ポリエチレンフィルム、さらに具体的にはLDPE（低密度ポリエチレン）やL-LDPE（リニアポリエチレン）のフィルムを用いることができるが、これは単なる一例である。防水層６２は基層６１に密着していることが好ましい。
【００２２】
防汚カバー６は、取り付け作業や使用に支障の無いように、十分に高い可撓性を有していることが好ましい。
【００２３】
（本実施形態のカバーの使用方法）
次に、前記した本実施形態の防汚カバー６の使用方法を、主に図４を参照しながら説明する。
【００２４】
（把手への取り付け）
前提として、保管状態では、本実施形態の防汚カバー６は、折り畳まれて、適宜な保管袋（図示せず）に収納されているものとする。本実施形態の防汚カバー６は、単純なシート状の構成であり、かつ高い可撓性を有しているので、小さく折り畳んだ状態で収納しておくことができる。したがって、狭い保管スペースにも無理なく収納することができるという利点がある。ただし、このような保管状態とすることは必須ではない。
【００２５】
使用時には、防汚カバー６を保管袋から取り出して展開させる（図２参照）。このときの展開状態は、その後の取り付け作業に支障がなければ、どのようなものであってもよく、完全に展開している必要はない。
【００２６】
ついで、担架１の二つの把手２１（図４の例では図中上側の把手２１）を、防汚カバー６の二つの第１取付穴７の内部にそれぞれ貫通させる。この状態では、把手２１と第１取付穴７との位置関係がおおよそ固定される。ここで、防汚カバー６は、基本的には、基層６１が上側（対象者側）、防水層６２が下側（支持シート側）になるように配置される。
【００２７】
（支持シートの被覆）
ついで、防汚カバー６をその長さ方向に展開させる。これにより、担架１の支持シート３の上面を防汚カバー６により覆うことができる（図４参照）。このとき、防汚カバー６における、第１取付穴７とは反対側の部分（図４では図中下側の部分）は、支持シート３の端部から外側に垂らしておけばよい。あるいは、支持シート３からはみ出た部分の防汚カバー６を支持シート３の裏面側に折り返し、適宜な取り付け手段（粘着テープや面ファスナーなど）により支持シート３の裏面側に取り付けることもできる。
【００２８】
（搬送）
ついで、対象者１０（図４参照）を防汚カバー６の上に載せた後、把手２１を搬送者が持ち、対象者を搬送することができる。この搬送方法は基本的には従来の担架と同様である。搬送終了後は、通常は、防汚カバー６を担架１から取り外し、担架１を所定の位置に収納する。担架１に、把手棒２どうしの間隔を保持するための固定具（図示せず）が取り付けられている場合には、固定具を取り外してから収納することが通常である。防汚カバー６は、一般的には使い捨てとされる。
【００２９】
本実施形態では、第１取付穴７を把手２１に取り付けて防汚カバー６を全体的に展開させることにより、担架１の支持シート３に防汚カバー６を簡便に取り付けることができる。特に、図１に示すタイプの担架１は救急用として使われることが多いので、このように簡便にカバー６を使用できることの意義は大きい。
【００３０】
また、本実施形態では、把手２１を第１取付穴７に貫通させているので、これにより、担架１に対する防汚カバー６の位置ずれを抑止することができる。したがって、担架１の使用中において対象者１０の動作や風等により防汚カバー６が担架１に対してずれる恐れを低減させることができ、実際上の使いやすさを向上させることができる。
【００３１】
さらに、本実施形態では、担架１の支持シート３の上面を防汚カバー６により覆うことができるので、対象者１０の体液や吐瀉物等による支持シート３の汚れを防ぐことができる。支持シート３が一旦汚れると、汚れや臭いが支持シート３に残留しやすく、このため、次回以降の使用時において対象者が不快に感じることがある。また、搬送者や次の対象者への感染の恐れを生じることもある。これに対して、本実施形態の防汚カバー６を用いると、支持シート３の汚れを防ぐことができるので、実際の使用時や訓練時において快適に担架１を使用することができるという利点がある。また、搬送者や次の対象者への感染の恐れを低減できるという利点もある。
【００３２】
また、本実施形態の防汚カバー６は、把手２１から第１取付穴７を取り外すことにより、担架１から簡便に取り外すことができる。例えば、防汚カバー６を使用後に、担架１を所定の収納個所に収納する時において、当該カバー６を担架１から簡単に取り外すことができる。また、担架１の使用中に防汚カバー６が汚損した場合には、担架１に載せられた対象者が一旦移動する必要はあるが、防汚カバー６を簡単に交換することも可能である。
【００３３】
さらに、本実施形態の防汚カバー６は、基層６１と防水層６２を有する二層構造とされているので、対象者側に配置された基層６１により、対象者の体液や吐瀉物などの汚れを吸収させることができる。これにより、搬送者にこれらの汚れが付着することを抑止し、搬送者の感染防止を図ることができる。また、防水層６２により、基層６１から支持シート３への汚れの伝搬を防ぐことができる。ここで、汚れた防汚カバー６は簡単に交換可能であるから、本実施形態の防汚カバー６によれば、次に運搬される対象者への感染防止も図ることができる。
【００３４】
また、本実施形態の防汚カバー６は、簡易な構成とされているので、比較的に安価に製造することができる。このため、このカバー６を使い捨てとして用いた場合でも、必要なコストは低いという実際上の利点がある。
【００３５】
（第２実施形態）
次に、図５をさらに参照しながら、本発明の第２実施形態に係る防汚カバーについて説明する。なお、この第２実施形態の説明においては、前記した第１実施形態の防汚カバーと基本的に共通する要素については、同一符号を付すことにより、説明の重複を防ぐ。
【００３６】
この第２実施形態の防汚カバー６は、第２取付穴８を追加的に有している。この第２取付穴８は、第１取付穴７とは、防汚カバー６の長さ方向において反対側の位置に形成されている。また、第２取付穴８は、防汚カバー６の他端（図５では下端）近傍に形成されている。
【００３７】
第２取付穴８も、第１取付穴７と同様に、防汚カバー６を貫通して形成されている。さらに、第２取付穴８は、長穴状に形成されている。より詳しくは、第２取付穴８は、第１取付穴７が把手棒２の一端側の把手２１に取り付けられた状態において、把手棒２の他端側の把手２１を内部に貫通させる長穴状となっている。
【００３８】
長穴状とされた第２取付穴８の長径の方向は、支持シート３の長さ方向（つまり防汚カバー６の長さ方向）に沿う方向とされている。さらに、第２取付穴８の形状は、防汚カバー６のやや内側の位置に形成された拡大部８１と、この拡大部８１から、防汚カバー６の外側方向（短い側縁の方向）に延長された延長部８２とを備えたものとなっている。拡大部８１の内径は、把手２１の外径とほぼ同じか、わずかに大きいものとすることが好ましい。
【００３９】
この第２実施形態の防汚カバー６によれば、把手棒２の把手２１（ただし第１取付穴７が取り付けられる把手２１とは反対側の位置にあるもの）に、第２取付穴８が取り付けられるので、防汚カバー６の長さ方向における両端を担架１に確実に取り付けることができる。したがって、防汚カバー６と担架１との位置ずれをより確実に防止できるという利点がある。
【００４０】
また、第２実施形態の防汚カバー６は、第２取付穴８の形状を長穴状としたので、第１取付穴７を一端側の把手２１に取り付けた後に、第２取付穴８を他端側の把手２１に取り付ける作業の効率が良いという利点がある。
【００４１】
さらに、本実施形態では、第２取付穴８に拡大部８１と延長部８２とを形成したので、延長部８２を利用して把手２１を第２取付穴８に通した後、拡大部８１の内部に把手２１を収容することができる。これにより、把手２１が拡大部８１から外れにくくなり、防汚カバー６と支持シート３との位置ずれを一層確実に防止できる。また、把手２１を拡大部８１に収容することにより、把手２１の周囲における第２取付穴８の周縁部のたるみが抑制されることになり、これによって、防汚カバー６の美観を向上させることができるという利点もある。
【００４２】
第２実施形態における他の構成及び利点は、前記した第１実施形態と基本的に同様なので、これ以上詳しい説明は省略する。
【００４３】
（第３実施形態）
次に、図６をさらに参照しながら、本発明の第３実施形態に係る防汚カバーについて説明する。なお、この第３実施形態の説明においては、前記した第１及び第２実施形態の防汚カバーと基本的に共通する要素については、同一符号を付すことにより、説明の重複を防ぐ。
【００４４】
この第３実施形態の防汚カバー６は、第１取付穴７の形状を、第２実施形態で説明した第２取付穴８と同様としている。すなわち、第１取付穴７は、拡大部７１と延長部７２とを有している。ここで、第１取付穴７と第２取付穴８の形状は、防汚カバー６の長手方向に直交する仮想軸線（図示せず）を中心として線対称とされている。ただし、このような対称形状とすることは必須ではない。
【００４５】
第２実施形態の防汚カバー６では、第１取付穴７を第２取付穴８よりも先に把手２１に取り付ける手順であることが好ましい。このため、第２実施形態では、第１取付穴７の位置を使用者が確認する必要がある。これに対して第３実施形態の防汚カバー６によれば、どちらの取付穴を先に把手２１に取り付けたとしても、取り付け作業の容易性は変わらない。したがって、防汚カバー６における第１取付穴７の位置を確認するという作業を省略することができ、取り付け作業の効率化を期待できる。
【００４６】
また、第３実施形態の第１取付穴７は、拡大部７１と延長部７２とを有しているので、第２取付穴８の場合と同様に、拡大部７１の内部に把手２１を収容して、把手２１と第１取付穴７との位置ずれを抑制することができる。
【００４７】
第３実施形態における他の構成及び利点は、前記した第１及び第２実施形態と基本的に同様なので、これ以上詳しい説明は省略する。
【００４８】
（第４実施形態）
次に、前記した防汚カバー６を折り畳む方法について、第４実施形態として図７をさらに参照しながら説明する。ここでは、第２実施形態の防汚カバー６を例とするが、これには制約されず、他の防汚カバー６を用いることも可能である。なお、この第４実施形態の説明においては、前記した第２実施形態の防汚カバーと基本的に共通する要素については、同一符号を付すことにより、説明の重複を防ぐ。
【００４９】
（図７（ａ））
まず、防汚カバー６を、図５に示すような展開状態とする。ここで、図７（ａ）における一点鎖線は谷折り線（仮想線）を示している。
【００５０】
（図７（ｂ））
ついで、防汚カバー６の他端６ｂを、防汚カバー６の一端６ａに近づけるようにして、防汚カバー６を折り畳む。ここで、第１取付穴７を露出させた状態（防汚カバー６の他端６ｂによって覆われない状態）とする。
【００５１】
（図７（ｃ））
ついで、図７（ｂ）における下端６ｃを、防汚カバー６の一端６ａに近づけるようにして、防汚カバー６を折り畳む。このときも第１取付穴７を露出状態とする。ここで、図７（ｂ）に示す折り畳み状態での下端６ｃを、他端６ｂよりわずかに下がった位置とすることが好ましい（図７（ｃ）参照）。
【００５２】
（図７（ｄ））
ついで、図７（ｃ）における下端の部分が前記した下端６ｃに重なるように、防汚カバー６をさらに折り畳む。このときも第１取付穴７を露出状態とする。
【００５３】
（図７（ｅ））
ついで、防汚カバー６の一端６ａを、他端６ｂの方向に折り返す。
【００５４】
（図７（ｆ））
さらに、防汚カバー６の左右側縁どうしが一致するように折り畳む。これにより、防汚カバー６を小さく折り畳むことができる。
【００５５】
（防汚カバーの取り付け作業）
防汚カバー６の使用時には、まず、図７（ｆ）の状態から、図７（ｄ）の状態に展開する。この状態では、第１取付穴７が露出された状態となる。ここまでの作業は、防汚カバー６が小さく折り畳まれているので、効率よく行うことができ、一人も簡単に実行できる。
【００５６】
ついで、担架１の一端側の把手２１を第１取付穴７に貫通させる。これにより、防汚カバー６の一端６ａ側を担架１に取り付けることができる。ついで、防汚カバー６の他端６ｂを持ち、担架１の他端方向に引き延ばす。これにより、防汚カバー６を容易に展開させて、担架１に装着することができる。この取り付け作業も、一人で容易に実行できる。担架１は、救急時に使用されることが多いので、このように簡便に一人でも装着可能であることは大きな利点である。また、本実施形態では、図７（ｂ）に示す折り畳み状態での下端６ｃを、他端６ｂよりわずかに下がった位置となるようにさらに折り畳んだので（図７（ｃ）参照）、図７（ｄ）に示す状態では、他端６ｂを外部から容易に視認して把持することができる。したがって、担架１への防汚カバー６の取り付け作業を一層効率的に行うことができるという利点もある。本例では、その後、第２取付穴８を担架１の他端側の把手２１に取り付ける。
【００５７】
なお、本発明の内容は、前記実施形態に限定されるものではない。本発明は、特許請求の範囲に記載された範囲内において、具体的な構成に対して種々の変更を加えうるものである。
【００５８】
例えば、前記した各実施形態では、第１・第２取付穴を丸穴状又は長穴状としたが、これらの形状には限らない。例えば防汚カバーの所定個所に切り込みを入れることにより、第１・第２取付穴を形成することもできる。切込みの形状としては、例えば十字状、X状、＊状など、各種のものが考えられる。要するに、切込みを利用して把手２１を防汚カバー６に取り付けることができる形状であればよい。一方向の切込みを長く形成することにより、長穴と同じ利点を得ることもできる。
【００５９】
また、前記した第４実施形態に記載した折り畳み方法は一例に過ぎず、これには制約されない。例えば、より多い折り畳み回数、より少ない折り畳み回数、より複雑な折り畳み手法とすることも可能である。
【符号の説明】
【００６０】
１  担架
２  把手棒
２１  把手
３  支持シート
４  保持部
６  防汚カバー
６１  基層
６２  防水層
６ａ  防汚カバーの一端
６ｂ  防汚カバーの他端
７  第１取付穴
７１  第１取付穴の拡大部
７２  第１取付穴の延長部
８  第２取付穴
８１  第２取付穴の拡大部
８２  第２取付穴の延長部
１０  対象者
【要約】
【課題】簡易な構成により担架の汚れを防止できる防汚カバーを提供する。
【解決手段】防汚カバー６は、担架１の支持シート３の上面をほぼ覆うことができる大きさを有する略シート状に形成されている。防汚カバー６には、２本の把手棒２の一端側に設けられた把手２１を内部にそれぞれ収容可能な二つの第１取付穴７が、防汚カバー６の厚さ方向に貫通して形成されている。使用時には、第１取付穴７の内部に把手２１を貫通させた状態で、支持シート３の上面に防汚カバー６を被せる。これにより、担架１に対する防汚カバー６の位置ずれを抑止できる。
【選択図】図４【図１】
0006704498.tif 000002
【図２】
0006704498.tif 000003
【図３】
0006704498.tif 000004
【図４】
0006704498.tif 000005
【図５】
0006704498.tif 000006
【図６】
0006704498.tif 000007
【図７】
0006704498.tif 000008